(57)【要約】      （修正有）【課題】中吊り広告の広告媒体としての効果を向上させることができる表示システムを提供する。【解決手段】車内中吊り広告用の印刷物レイアウトの表示システムは出版社側で作成する週刊誌、月刊誌等の定期刊行物の車内中吊り広告用の印刷物レイアウト２ａ、２ｂのデータを本部３に送信し、その本部は各出版社１ａ、１ｂから送信された前記データを加工、編集し、その加工、編集した後にそのデータをまとめ、端末となるモニター４ａ、４ｂ、４ｃ、４ｄに対して送信し、モニターはそのデータを受信し、画面に前記した中吊り広告用の印刷物レイアウトを表出させる。【選択図】図１
2008224813.tif 000002
【特許請求の範囲】
【請求項１】
出版社側で作成する週刊誌、月刊誌等の定期刊行物の車内中吊り広告用の印刷物レイアウトのデータを本部に送信し、その本部は各出版社から送信された前記データを加工、編集し、その加工、編集した後にそのデータをまとめ、端末となるモニターに対して送信し、モニターはそのデータを受信し、画面に前記した中吊り広告用の印刷物レイアウトを表出させることを特徴とする車内中吊り広告用の印刷物レイアウトの表示システム。
【請求項２】
前記したモニターは旅客鉄道車両内もしくは路線バス内に設置されたものとすることを特徴とする請求項１に記載の車内中吊り広告用の印刷物レイアウトの表示システム。
【請求項３】
前記したモニターは書店、コンビニエンスストア、量販店、百貨店等の店舗の店頭あるいは店内に設置されたものとすることを特徴とする請求項１に記載の車内中吊り広告用の印刷物レイアウトの表示システム。
【請求項４】
前記したモニターは駅構内の通路やエスカレータ、動く歩道等の移動手段の近傍に設置されたものとすることを特徴とする請求項１に記載の車内中吊り広告用の印刷物レイアウトの表示システム。
【発明の詳細な説明】
【技術分野】
【０００１】
本発明は車内中吊り広告用の印刷物レイアウトの表示システムに関し、前記した印刷物レイアウトを鉄道の旅客輸送車両や路線バス内等の中吊りに加え、あるいは代えて、種々のモニターに表示させるための表示システムに関する。
【背景技術】
【０００２】
従来、定期的に刊行される週刊誌や月刊誌等の定期刊行物の各号ごとの広告は新聞等に掲載されるほか、鉄道車両やバス等の公共輸送施設、特に通勤、通学等にも多く利用される旅客車両や路線バス内の天井に設けられた取り付け機構にその広告内容を表わした印刷物レイアウトを中吊りして行なわれることが多い。
【０００３】
しかしながら、この中吊り広告はある程度の距離があっても読むことが可能な文字の大きさが使用されているとはいえ、混雑している車内では体の向き等が意のままとならず、十分に読むことができない場合もあり、また現状は車両ごとに掲示されている印刷物レイアウトが異なったものとなり、高額な経費を使用している割には需要者に対し、十分な情報の提供がなされているとはいえないものであり、需要者側にとっても読みたい、あるいは確認したい広告内容を十分に把握しきれない不満が残ってしまうものとなっている。
【０００４】
さらに、現在はかかる定期刊行物の各号ごとの広告は、その広告印刷物を掲示する場所も一定に限られたものとなっており、電車やバスを利用することのない人々にとっては一切目に触れることもないものとされており、折角作成された印刷物レイアウトをより多くの人々に見せるために限界があったものである。
【特許文献１】出願人は本願発明に関し、先行する技術文献を調査したが、格別に本願と関連し、類似すると思われる文献を発見することはできなかった。
【発明の開示】
【発明が解決しようとする課題】
【０００５】
本発明の解決しようとする問題点は、従来から実施されている中吊り広告は時として十分に見ることができない場合が多く、また、その広告媒体として目にすることもない人々も存在しており、その広告媒体として対象が限られ、限界があったという点である。
【課題を解決するための手段】
【０００６】
この問題点を解決するために、本発明に係る車内中吊り広告用の印刷物レイアウトの表示システムは出版社側で作成する週刊誌、月刊誌等の定期刊行物の車内中吊り広告用の印刷物レイアウトのデータを本部に送信し、その本部は各出版社から送信された前記データを加工、編集し、その加工、編集した後にそのデータをまとめ、端末となるモニターに対して送信し、モニターはそのデータを受信し、画面に前記した中吊り広告用の印刷物レイアウトを表出させることを特徴としている。
【０００７】
また、本発明に係る車内中吊り広告用の印刷物レイアウトの表示システムは前記したモニターは旅客鉄道車両内もしくは路線バス内に設置されたものとすることを特徴とし、前記したモニターは書店、コンビニエンスストア、量販店、百貨店等の店舗の店頭あるいは店内に設置されたものとすることを特徴とし、前記したモニターは駅構内の通路やエスカレータ、動く歩道等の移動手段の近傍に設置されたものとすることを特徴としている。
【発明の効果】
【０００８】
本発明に係る車内中吊り広告用の印刷物レイアウトの表示システムは上記のように構成されている。そのため、本部から、各所のモニターに対し、前記した印刷物レイアウトが加工、編集されてデータ送信され、その各所のモニターにそれが表出されるため、車内にあっても多数設置されるモニターはどの位置からでも十分に見ること、読むことが可能となり、加えて、書店をはじめとする店舗の店頭、店内あるいは駅構内等でも見ること、読むことができるため、広告媒体としての効果は著しく向上することとなり、必要とされる経費も大幅に節減されることとなるのである。
【発明を実施するための最良の形態】
【０００９】
図面として示し、実施例で説明したように構成することで実現した。
【実施例１】
【００１０】
次に、本発明の好ましい実施の一例を図面を参照して説明する。図１は本発明に係る車内中吊り広告用の印刷物レイアウトの表示システムを示す概略フロー図である。
【００１１】
この図１にあって図中１ａ、１ｂは週刊誌、月刊誌等の定期刊行物を発行する出版社を示しており、この出版社１ａ、１ｂは各定期刊行物の各号ごとの中吊り広告用の印刷物レイアウトの画像をディジタルデータとして作成する。このデータの作成は出版社１ａ、１ｂが自ら行なう場合もあるが、主として委託されたデータ作成会社によりなされることも多い。
【００１２】  前記した出版社１ａ、１ｂもしくは委託された業者は中吊り広告用の画像としてのディジタルデータの印刷物レイアウト２ａ、２ｂを本部３、例えば（公序良俗違反につき、不掲載）にデータとして送信し、本部３はその各社からのデータ送信を受信する。本部３では受信したデータに対し、加工や編集の作業を行なう。【００１３】
本部３は前記した加工、編集し、まとめたデータを契約している各所のモニター４ａ、４ｂ、４ｃ、４ｄ‥に送信する。各モニター４ａ、４ｂ、４ｃ、４ｄはデータを受信すると、そのデータ内容を画面に表出させることとなる。この表出の方法は各印刷物レイアウト２ａ、２ｂごとに一定の時間を設定して順次表出させ、それを繰り返したり、複数の印刷物レイアウト２ａ、２ｂを順次シリアル方式で流すように表出させること等、種々の方式を採択することができ、各印刷物レイアウト２ａ、２ｂの表出される間に、この印刷物レイアウト２ａ、２ｂとは異なったジャンルの広告や情報提供等を適宜に組み入れることも可能である。
【００１４】
また、モニター４ａ、４ｂ、４ｃ、４ｄにおける印刷物レイアウト２ａ、２ｂのデータ画像の表出は上記に加え、強調したい部分、例えば核となる記事紹介等の部分をズームアップして示したり、特定のポイントに対して、アイリスアウト、アイリスインの手法を加味して需要者に見せることも可能となる。
【００１５】
前記したように、各モニター４ａ、４ｂ、４ｃ、４ｄは車内に設置された多数のモニターのほか、書店をはじめとする店舗の店頭、店内あるいは駅構内等に設置されたものにまで、多岐に亘って利用されることが可能となるため、広告媒体としての効用は非常に大きなものとなり、その内容も定期的に変更されることとなり、定期刊行物は新刊の発売日も各誌によって異なるため、常に新しい内容のものが表出されることとなって、需要者にとっても一種の情報入手としてモニターを見る楽しみも増えることとなる。
【産業上の利用可能性】
【００１６】
本発明に係る車内中吊り広告用の印刷物レイアウトの表示システムは上記のように構成され、実施される。そのため、表示内容として従前から行なわれているニュース、天気予報等に加え各種のイベント案内や新刊書籍の案内等として応用実施することも可能である。そして、モニターも前記したもののほか、新幹線や旅客飛行機、船舶等に設置のものにも実施できることは勿論である。
【図面の簡単な説明】
【００１７】
【図１】本発明に係る車内中吊り広告用の印刷物レイアウトの表示システムを示す概略フロー図である。
【符号の説明】
【００１８】
１ａ    出版社
１ｂ    出版社
２ａ    印刷物レイアウト
２ｂ    印刷物レイアウト
３      本部
４ａ    モニター
４ｂ    モニター
４ｃ    モニター
４ｄ    モニター
【図１】
2008224813.tif 000003